(57)【特許請求の範囲】
【請求項１】
横長で下方が開口した本体の長手方向の両端部の夫々に、本体内に配置される、ソケットを取付けるためのソケット台を取付けた照明器具であって、本体の長手方向の端部における上下方向の複数個所にソケット台取付け部を設け、上下複数個所のソケット台取付け部のうちいずれかのソケット台取付け部を選択してソケット台を取付けたものであり、本体の側面片の上下方向の複数個所にソケット台取付け部を設け、該側面片の上下方向の複数個所に設けた各ソケット台取付け部がソケット台に対して２つのねじ具を挿入して取付けができるように２つのねじ具挿入孔により構成され、ソケット台に反射板を取付けると共に、反射板に形成された係止部に配光部材が有する被係止部を本体内において直接係止することで配光部材を反射板に取付け、反射板及び配光部材を本体内に配置したことを特徴とする照明器具。
【発明の詳細な説明】
【技術分野】
【０００１】
本発明は、照明器具、より詳しくは本体にソケット台を取付ける技術に関するものである。
【背景技術】
【０００２】
従来から、下方に開口した横方向に細長い箱状をした本体１内の長手方向の両端部付近にそれぞれソケット２を取付けるためのソケット台３を配置して該ソケット台３を本体１に取付けるようにしたものが知られている。（例えば、特許文献１参照）。
【０００３】
ところで、下方に開口した本体１内にソケット台３を配置して取付けるに当たって従来においては、本体１の上面片２０に設けたねじ具挿入孔からねじ具２１を挿入して本体１内に配置したソケット台３の上端部に螺着することで取付けていた。
【０００４】
このため、同一の本体１を用いてランプ１４の遮光角が違うものに対応するには、図１２、図１４に示すように高さの異なる複数種類のソケット台３を作成し、遮光角の違いに応じて高さの異なる複数種類のソケット台３の中から目的とする遮光角となるソケット台３を選択して取付けるようにしていた。
【０００５】
例えば、図１１、図１２はルーバのような配光部材１６を取付けない場合であり、図１３、図１４は本体１内の下部にルーバのような配光部材１６を取付ける場合である。上記図１４は、ルーバのような配光部材１６を取付けるため、本体１内におけるランプの位置がルーバのような配光部材１６の高さ分だけ、図１２の場合よりも上に位置する。このため、ルーバのような配光部材１６を設けない図１２の場合の遮光角よりも、ルーバを設ける図１４の場合の遮光角が大きくなる（例えば、図１２における遮光角が１０°、図１４における遮光角が３０°）。
【０００６】
このため、従来にあっては、高さの異なる複数種類のソケット台３を用意する必要があり、コストが高くなるという問題があった。
【０００７】
なお、図において、１３は反射板を示している。
【特許文献１】特開２００６−１２５３５号公報
【発明の開示】
【発明が解決しようとする課題】
【０００８】
本発明は上記の従来の問題点に鑑みて発明したものであって、本体にソケット台を取付けるに当たり、本体、ソケット台の種類を変えることなく遮光角を異ならせることができて、コストダウンが図れる照明器具を提供することを課題とするものである。
【課題を解決するための手段】
【０００９】
上記課題を解決するために本発明に係る照明器具は、横長で下方が開口した本体１の長手方向の両端部の夫々に、本体１内に配置される、ソケット２を取付けるためのソケット台３を取付けた照明器具であって、本体１の長手方向の端部における上下方向の複数個所にソケット台取付け部４を設け、上下複数個所のソケット台取付け部４のうちいずれかのソケット台取付け部４を選択してソケット台３を取付けたものであり、本体１の側面片９の上下方向の複数個所にソケット台取付け部４を設け、該側面片９の上下方向の複数個所に設けた各ソケット台取付け部４がソケット台３に対して２つのねじ具５を挿入して取付けができるように２つのねじ具挿入孔６により構成され、ソケット台３に反射板１３を取付けると共に、反射板１３に形成された係止部１８に配光部材１６が有する被係止部１７を本体１内において直接係止することで配光部材１６を反射板１３に取付け、反射板１３及び配光部材１６を本体１内に配置したことを特徴とするものである。
【００１０】
このような構成とすることで、本体１、ソケット台３として共通のものを使用し、本体１の上下方向の複数個所に設けたソケット台取付け部４のうち任意の高さのソケット台取付け部４を選択してソケット台３を取付けることで、本体１の下開口に対するソケット台３の下端の位置を選択でき、これにより１種類のソケット台３を用いて遮光角が異なるように取付けることができる。
【００１２】
また、本体１に対してソケット台３がねじ具５を中心に回動するのが防止できて、上下方向の複数個所に設けたソケット台取付け部４のいずれにソケット台３を取付けた場合も、簡単な構成で本体１に対して目的とする位置関係となるように正しい姿勢で取付けることができる。
【発明の効果】
【００１９】
本発明は、上記のように、ソケット台の上下方向の取付け位置を選択できるように本体の上下方向の複数個所にソケット台取付け部を設けてあるので、本体、ソケット台を共通化して、ソケット台への本体に対する取付け位置を選択して取付けることで、簡単な構成で、遮光角が異なるように取付けることができ、このように、本体、ソケット台を共通化して遮光角の違いに対応できるので、コストダウンが図れる。
【発明を実施するための最良の形態】
【００２０】
以下、本発明を添付図面に示す実施形態に基いて説明する。
【００２１】
本体１は下方が開口した箱形状をしたもので、添付図面に示す実施形態においては横長となっており、長手方向の両端部にはそれぞれ上下方向の複数個所にソケット台取付け部４が設けてある。具体的には長手方向の両端部において断面コ字状の本体１の両側面片９にそれぞれ上下方向の複数個所にソケット台取付け部４が設けてある。
【００２２】
図１乃至図４に示す実施形態においては、各ソケット台取付け部４がそれぞれ２個のねじ具挿入孔６により構成してあり、この２個で一組となったねじ具挿入孔６よりなるソケット台取付け部４が側面片９の上下２個所に設けてある。
【００２３】
ソケット台３は例えば、横片１０の両側にそれぞれ取付け用縦片１１を上方に向けて突出したもので、両取付け用縦片１１にはそれぞれ２個のねじ孔１２が設けてある。このソケット台３を本体１内に配置し、上下いずれかのソケット台取付け部４に取付けるものである。
【００２４】
このように、上下方向の複数個所にソケット台取付け部４を設けて、上下方向の複数個所にソケット台取付け部４のうちいずれかのソケット台取付け部４を選択してソケット台３を取付けることで（つまり、本体１に対するソケット台３の取付け位置を選択することで）、ルーバのような配光部材１６を取付けて遮光角度が深くなる（大きくなる）場合と、配光部材１６を取付けることなくできるだけランプ（直管ランプ）１４を本体１の下開口に近づけるように取付けて遮光角が浅くなる（小さくなる）場合とに対応することができる。
【００２５】
図２（ａ）、図３は本体１にルーバのような配光部材１６を取付けない場合の例であり、この場合は、下のソケット台取付け部４にソケット台３を取付ける。つまり、図２（ａ）、図３の実施形態では、片側の側面片９に設けた上下２つのソケット台取付け部４のうち下に位置するソケット台取付け部４である下の２個のねじ具挿入孔６とソケット台３の片側の取付け用縦片１１に設けた２個のねじ孔１２を連通させ、２個のねじ具挿入孔６からそれぞれねじ具５を挿入して、２個のねじ具５をそれぞれ片側の取付け用縦片１１に設けた２個のねじ孔１２に螺合することで、片側の取付け用縦片１１を片側の側面片９に取付け、同様にして、他の片側の取付け用縦片１１を他の片側の側面片９に取付けるものであり、このようにすることで、本体１の長手方向の一方の端部にソケット台３を取付ける。同様にして本体１の長手方向の他方の端部において、下のソケット台取付け部４に別のソケット台３を取付ける。
【００２６】
ソケット台３にはそれぞれ図３に示すようにソケット２を取付ける。また、本体１内に反射板１３を配置して取付ける。この場合、反射板１３は本体１に直接あるいは取付け金具を介して取付けてよいが、ソケット台３に取付けてもよい。
【００２７】
更に、長手方向の両端部に取付けた上記ソケット２にはランプ（直管ランプ）１４の両端を嵌め込んで電気的、機械的に取付ける。
【００２８】
このようにして上下のソケット台取付け部４のうち下のソケット台取付け部４にソケット台３を取付けることで、ランプ１４の下端と本体１の下開口の縁とを結ぶ線が水平線となす角度である遮光角を小さくできる（例えば、図３の実施形態で１０°）。
【００２９】
一方、図２（ｂ）、図４は本体１にルーバのような配光部材１６を取付ける場合の例であり、この場合は、上のソケット台取付け部４にソケット台３を取付ける。つまり、図２（ｂ）、図４の実施形態では、片側の側面片９に設けた上下２つのソケット台取付け部４のうち上に位置するソケット台取付け部４である上の２個のねじ具挿入孔６とソケット台３の片側の取付け用縦片１１に設けた２個のねじ孔１２を連通させ、２個のねじ具挿入孔６からそれぞれねじ具５を挿入して、２個のねじ具５をそれぞれ片側の取付け用縦片１１に設けた２個のねじ孔１２に螺合することで、片側の取付け用縦片１１を片側の側面片９に取付け、同様にして、他の片側の取付け用縦片１１を他の片側の側面片９に取付けるものであり、このようにすることで、本体１の長手方向の一方の端部にソケット台３を取付ける。同様にして本体１の長手方向の他方の端部の上のソケット台取付け部４に別のソケット台３を取付ける。
【００３０】
ソケット台３にはそれぞれソケット２を取付ける。また、本体１内に反射板１３を配置して取付ける。この場合、反射板１３は本体１に直接あるいは取付け金具を介して取付けてよいが、ソケット台３に取付けてもよい。
【００３１】
更に、長手方向の両端部に取付けた上記ソケット２にはランプ（直管ランプ）１４の両端を嵌め込んで電気的、機械的に取付ける。
【００３２】
本実施形態においては、反射板１３には長手方向の両端部の各両側から下方に向けて弾性を有する係止脚片１５が下方に向けて設けてあり、本体１の下開口内に入れたルーバのような配光部材１６の被係止部１７を上記係止脚片１５の先端の係止部１８に着脱自在に係止することで本体１の下開口に配光部材１６を着脱自在に取付けるようになっている。
【００３３】
このようにして上下のソケット台取付け部４のうち上のソケット台取付け部４にソケット台３を取付けることで、ランプ１４の下端から本体１の下開口端までの間に配光部材１６を配置するための配光部材配置スペースを確保することができる。本実施形態の場合は、ランプ１４の下端と本体１の下開口の縁とを結ぶ線が水平線となす角度である遮光角は配光部材１６を設けない場合にくらべて大きい（例えば、図４の実施形態で３０°）。
【００３４】
そして、図２（ａ）、図３のように配光部材１６を本体１に設けない場合、図２（ｂ）、図４のように配光部材１６を本体１に設ける場合のいずれの場合であっても、同じ本体１に対して同じソケット台３をその取付け位置（ソケット台取付け部４の位置）を選択することで、対応することができる。したがって、ソケット台３として従来のように高さの異なる複数種類のものを用意する必要がなく、コストダウンが図れる。
【００３５】
上記した実施形態では側面片９の上下２個所にそれぞれ２個で一組となったねじ具挿入孔６よりなるソケット台取付け部４が設けてあるので、本体１に対してソケット台３がねじ具５を中心に回動するのが防止できる。
【００３６】
上記実施形態では側面片９の上下方向の複数個所にソケット台取付け部４を設けるに当たり、各ソケット台取付け部４を２個で一組となったねじ具挿入孔６で構成した例を示したが、側面片９の上下方向の複数個所に設ける各ソケット台取付け部４をそれぞれ１つのねじ具挿入孔６で構成してもよい。
【００３７】
この場合は、片側の側面片９に片側の取付け用縦片１１を取付けるに当たり１本のねじ具５による取付けでよいので、組み立て性が向上する。しかし、１本のねじ具５で片側の側面片９に片側の取付け用縦片１１を取付けると、該ねじ具５を中心にしてソケット台取付け部４が回動するおそれがある。そこで、図５に示すように側面片９にソケット台３がねじ具５を中心に回転するのを防止するための回転防止部７を設ける。
【００３８】
図５に示す実施形態では側面片９の内面側に回転防止部７が上下複数個所（図５の実施形態では上下２個所）設けてある。この図５においては、上下の各回転防止部７はそれぞれ２個で一組の突部７ａで構成してあり、２個で一組の突部７ａはねじ具挿入孔６を介して側面片９の長手方向に突部７ａ−ねじ具挿入孔６−突部７ａというように並んでいる。
【００３９】
そして、本実施形態においても、前述の実施形態と同様に、配光部材１６を本体１に設けない場合、配光部材１６を本体１に設ける場合に応じて、上下複数個所のソケット台取付け部４のうちいずれかのソケット台取付け部４を選択してソケット台３を取付けるものである。
【００４０】
ここで、本実施形態では図５に示すように、ソケット台３の横片１０の両側に設けた取付け用縦片１１にそれぞれ１個のねじ孔１２が設けてある。取付けに当たっては、側面片９の上端（又は下端）を上下方向のいずれかの回転防止部７に当てた状態で側面片９に設けた上下複数個所のソケット台取付け部４であるねじ具挿入孔６のうち、いずれかの１つのねじ具挿入孔６から１本のねじ具５を挿入してねじ孔１２に螺合することで、片側の取付け用縦片１１を片側の側面片９に取付け、同様にして、他の片側の取付け用縦片１１を他の片側の側面片９に取付けるものであり、このようにすることで、本体１の長手方向の一方の端部にソケット台３を取付ける。同様にして本体１の長手方向の他方の端部の上下いずれかのソケット台取付け部４に別のソケット台３を取付ける。図６（ａ）は配光部材１６を本体１に設けない場合におけるソケット台３の取付けを示し、図６（ｂ）は配光部材１６を本体１に設ける場合におけるソケット台３の取付けを示す。
【００４１】
図６（ａ）、図６（ｂ）のいずれの場合も、ソケット台３を本体１に対して取付けるに当たって、本体１の側面片９に対して１つのねじ具５による取付けで簡単に取付けができる。また、このように、側面片９に対して１つのねじ具５で取付けるにもかかわらず、回転防止部７により本体１に対してソケット台３がねじ具５を中心に回動するのを防止することができて、上下に複数設けたソケット台取付け部４のいずれにソケット台３を取付けた場合も、簡単な構成で本体１に対して目的とする位置関係となるように正しい姿勢で取付けることができる。
【００４２】
上記実施形態では、側面片９に上下複数個所にソケット台取付け部４を設けると共に、上下複数個所のソケット台取付け部４に対応して上下複数個所に回転防止部７を設けた例を示したが、図７、図８のように、上下複数のねじ具挿入孔６のいずれを選択してねじ具５を挿入してソケット台３を取付けた状態でも、ソケット台３がねじ具５を中心に回転するのを防止するための共通の回転防止部７を側面片９に設けるようにしてもよい。
【００４３】
すなわち、図７に示す実施形態では、上下のねじ具挿入孔６間に２個の突部７ａよりなる回転防止部７が設けてあり、図８（ａ）のように本体１の片側の側面片９の上のねじ具挿入孔６に１つのねじ具５で片側の取付け用縦片１１を取付ける場合は、該片側の取付け用縦片１１の下端が回転防止部７の上端に当接して回転止めを行い、図８（ｂ）のように本体１の片側の側面片９の下のねじ具挿入孔６に１つのねじ具５で片側の取付け用縦片１１を取付ける場合は、該片側の取付け用縦片１１の上端が回転防止部７の下端に当接して回転止めを行う。これにより、共通の回転防止部７により、配光部材１６を本体１に設ける場合、設けない場合のいずれの場合も共通の回転防止部７で回転止めを行うことができて、構造が簡略化する。
【００４４】
また、図９、図１０には更に、ソケット台３に回転防止部７に対して引掛け自在となった引掛け部８を設けた例である。
【００４５】
つまり、図９に示すように、両取付け用縦片１１の上下にそれぞれ引掛け部８を設けてある。図９に示す実施形態では、取付け用縦片１１の上端縁から逆Ｌ字状の引掛け部８を２個上方に向けて突設すると共に、取付け用縦片１１の下端縁からＬ字状の引掛け部８を２個下方に向けて垂設してある。
【００４６】
そして、図１０（ａ）のように本体１の片側の側面片９の下のねじ具挿入孔６に１つのねじ具５で片側の取付け用縦片１１を取付けると共に、該片側の取付け用縦片１１の上端を回転防止部７の下端に当接して回転止めを行い、この場合は上の逆Ｌ字状の引掛け部８を回転防止部７に引っ掛ける。また、図１０（ｂ）のように本体１の片側の側面片９の上のねじ具挿入孔６に１つのねじ具５で片側の取付け用縦片１１を取付けると共に、該片側の取付け用縦片１１の下端を回転防止部７の上端に当接して回転止めを行い、この場合は下のＬ字状の引掛け部８を回転防止部７に引っ掛ける。
【００４７】
ここで、逆Ｌ字状の引掛け部８、Ｌ字状の引掛け部８を回転防止部７に引っ掛けることができるようにするには、例えば、図９に示す例では、上下方向に開口した差込み部７ｂを設け、逆Ｌ字状の引掛け部８又はＬ字状の引掛け部８を図１０（ａ）（ｂ）の矢印に示すように差込み部７ｂに上方又は下方から挿通させ、その後、横方向にずらすことで、引っ掛けることができるようにしてある。
【００４８】
本実施形態においては、回転防止部７によりソケット台３が１つのねじ具５を中心にして回転するのを防止できるだけでなく、１つのねじ具５により取付けと、引掛け部８による取付けとの２重の取付けができて、簡単な構成で２重安全取付け構造にできることになる。
【図面の簡単な説明】
【００４９】
【図１】本発明の一実施形態の要部分解斜視図である。
【図２】（ａ）は同上の遮光部材を取付けない場合のソケット台の取付け位置を示す側面図であり、（ｂ）は同上の遮光部材を取付ける場合のソケット台の取付け位置を示す側面図である。
【図３】同上の遮光部材を取付けない場合の全体断面図である。
【図４】同上の遮光部材を取付ける場合の全体断面図である。
【図５】本発明の他の実施形態の要部分解斜視図である。
【図６】（ａ）は同上の遮光部材を取付けない場合のソケット台の取付け位置を示す側面図であり、（ｂ）は同上の遮光部材を取付ける場合のソケット台の取付け位置を示す側面図である。
【図７】本発明の更に他の実施形態の要部分解斜視図である。
【図８】（ａ）は同上の遮光部材を取付けない場合のソケット台の取付け位置を示す側面図であり、（ｂ）は同上の遮光部材を取付ける場合のソケット台の取付け位置を示す側面図である。
【図９】本発明の更に他の実施形態の要部分解斜視図である。
【図１０】（ａ）は同上の遮光部材を取付けない場合のソケット台の取付け位置を示す側面図であり、（ｂ）は同上の遮光部材を取付ける場合のソケット台の取付け位置を示す側面図である。
【図１１】従来例の遮光部材を取付けない場合の全体分解斜視図である。
【図１２】同上の従来における遮光部材を取付けない場合全体断面図である。
【図１３】従来例の遮光部材を取付ける場合の全体分解斜視図である。
【図１４】同上の従来における遮光部材を取付ける場合全体断面図である。
【符号の説明】
【００５０】
１  本体
２  ソケット
３  ソケット台
４  ソケット台取付け部
５  ねじ具
６  ねじ具挿入孔
７  回転防止部
８  引掛け部
９  側面片
【図１】
0005209919.tif 000002
【図２】
0005209919.tif 000003
【図３】
0005209919.tif 000004
【図４】
0005209919.tif 000005
【図５】
0005209919.tif 000006
【図６】
0005209919.tif 000007
【図７】
0005209919.tif 000008
【図８】
0005209919.tif 000009
【図９】
0005209919.tif 000010
【図１０】
0005209919.tif 000011
【図１１】
0005209919.tif 000012
【図１２】
0005209919.tif 000013
【図１３】
0005209919.tif 000014
【図１４】
0005209919.tif 000015